(57)【要約】【課題】サービスを提供しようとする客席テーブルの近くで調理や盛りつけをすることにより、作りたての料理を客の注文に応じて提供して食材の無駄を省き、客席テーブルにから離れた時には不要な電力を消費せず、経費削減にも役立つ移動式飲食物提供装置を提供すること。【解決手段】電気機器を搭載し、客席テーブルに設けた電源コネクタに電気的に接続可能な接続コネクタを備え、調理を行うためのカウンターを設けた本体１０を有し、移動手段により移動可能に形成されているとともに、前記電源コネクタと前記接続コネクタとを電気的に接続させることにより、前記電気機器に通電させるように形成した。【選択図】　　図１
2004008361.tif 000002
【特許請求の範囲】
【請求項１】
電気機器を搭載し、客席テーブルに設けた電源コネクタに電気的に接続可能な接続コネクタを備え、調理を行うためのカウンターを設けた本体を有し、
移動手段により移動可能に形成されているとともに、
前記電源コネクタと前記接続コネクタとを電気的に接続させることにより、前記電気機器に通電させるように形成したことを特徴とする移動式飲食物提供装置。
【請求項２】
前記本体と、前記客席テーブルとを接合させることにより、自動的に前記電源コネクタ及び接続コネクタが電気的に接続可能に形成したことを特徴とする請求項１記載の移動式飲食物提供装置。
【請求項３】
前記電気機器として、照明装置を少くとも搭載していることを特徴とする請求項１又は２記載の移動式飲食物提供装置。
【請求項４】
前記本体は、冷蔵ケースを少くとも搭載していることを特徴とする請求項１乃至３記載のいずれか１項記載の移動式飲食物提供装置。
【発明の詳細な説明】
【０００１】
【発明の属する技術分野】
この発明は、寿司などのように、客席の目の前で簡単な調理を行い飲食物を提供するための移動式飲食物提供装置に関する。
【０００２】
【従来の技術】
従来より、回転寿司が広く知られている。すなわち、フラットトップコンベヤにの上に置かれた寿司の乗った皿が、カウンターに座った客の目の前を回転し、客は目の前を通過する好みの寿司を皿ごと取って食することができるものである。　又昨今は、寿司ばかりでなく、種々の飲食物を回転させて客に提供する飲食店もある。
【０００３】
【発明が解決しようとする課題】
しかし、上記した従来の回転式飲食物提供方法では、例えば寿司の場合、いつ握ったか判らない寿司がいつまでも回転していると、客の食欲を損なうため好ましくないばかりか、時間の経ったものは廃棄しなければならず、食材の無駄が多く発生するという問題点がある。かといって、乾燥を防ぎ温度や鮮度を維持したまま回転させようとすると、それなりの設備を設けないとならない。また、客が居ないときでもコンベヤを回転させておかなければならないので、電力消費も無駄になる。
【０００４】
一方、客席テーブルの客に、ワゴンなどで飲食物を提供するものとして、例えば飲茶レストランなどがあるが、これは調理済みの食品を客の注文に応じて提供するものであるため、作りたてを食することが重要な意味を持つ寿司などにはあまり向いていない。
そこで発明者は、かかる問題点を解決すべく、従来のように飲食物を回転させるのではなく、客席に調理台を移動させて、客の目の前で注文に応じて調理、配膳し食品を提供する方法を考案した。
【０００５】
かくして、各請求項にそれぞれ記載された各発明は、前記した飲食物の提供方法を実現させるべくなされたものであり、その目的とするところは、次の点にある。
（請求項１）
すなわち、請求項１記載の発明は、サービスを提供しようとする客席テーブルの近くで調理や盛りつけをすることにより、作りたての料理を客の注文に応じて提供して食材の無駄を省き、客席テーブルにから離れた時には不要な電力を消費せず、経費削減にも役立つ移動式飲食物提供装置を提供することを目的とする。
【０００６】
（請求項２）
請求項２記載の発明は、上記した請求項１記載の発明の目的に加え、次の点を目的とする。
すなわち、請求項２記載の発明は、電気機器に通電させる手間がかからない移動式飲食物提供装置を提供しようとするものである。
【０００７】
（請求項３）
請求項３記載の発明は、上記した請求項１又は請求項２記載の発明の目的に加え、次の点を目的とする。
すなわち、請求項３記載の発明は、通電により客の興味を引き、また客が飲食物を注文する補助をすることができる移動式飲食物提供装置を提供しようとするものである。
【０００８】
（請求項４）
請求項４記載の発明は、上記した請求項１乃至３のいずれか１項に記載の発明の目的に加え、次の点を目的とする。
すなわち、請求項４記載の発明は、冷蔵保温が必要な食品について適した移動式飲食物提供装置を提供しようとするものである。
【０００９】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１０】
なお、符号は、発明の実施の形態において用いた符号を示し、本発明の技術的範囲を限定するものではない。
（請求項１）
請求項１記載の発明は、次の点を特徴とする。
すなわち、請求項１記載の発明は、電気機器を搭載し、客席テーブル６０に設けた電源コネクタに電気的に接続可能な接続コネクタを備え、調理を行うためのカウンター（例えば調理カウンター１２）を設けた本体１０を有し、移動手段（例えばキャスター１５）により移動可能に形成されているとともに、前記電源コネクタと前記接続コネクタとを電気的に接続させることにより、前記電気機器に通電させるように形成したことを特徴とする。
【００１１】
本発明は、カウンター上で簡単に調理することができる料理を、客の目の前で調理、配膳し、客に提供するための移動式飲食物提供装置であって、電気機器の電源を客席テーブルから取得するものである。
ここで、「電気機器」とは、照明装置２０や調理に使用する電動式の道具、機械などであり、本体１０に搭載可能であればよい。例えば、本体１０に設けられた装飾部１７に取り付けた照明装置２０なども含まれる。
【００１２】
また、「電源コネクタ」は、電源に接続可能なコネクタであって、例えば客席テーブル６０に設けたソケットとすることができる。「接続コネクタ」は、前記電源コネクタと接続可能なコネクタであって、例えば前記ソケットに差し込み可能なコンセントとすることができる。
なお、本発明においては、本体１０に搭載した電気機器のすべてが電源コネクタと接続コネクタとの接続により通電するものでなくともよく、例えば充電式の冷蔵装置などが本体１０に搭載されていてもかまわない。
【００１３】
（作用）
本発明によれば、本体１０を移動手段により客席テーブル６０の近くまで移動させ、客席テーブル６０から電源を引いて電気機器に通電させ、照明装置２０を点灯させるなどして調理カウンター１２で調理を行い、料理を提供することができる。客席テーブル６０を離れるときには、電源コネクタと接続コネクタの接続を切り、本体１０を移動させる。
【００１４】
（請求項２）
請求項２記載の発明は、上記した請求項１記載の発明の特徴点に加え、次の点を特徴とする。
すなわち、請求項２記載の発明は、前記本体１０と、前記客席テーブル６０とを接合させることにより、自動的に前記電源コネクタ及び接続コネクタが電気的に接続可能に形成したことを特徴とする。
【００１５】
本発明は、本体１０と客席テーブル６０との接合と、電源コネクタ及び接続コネクタとの接続が同時に行われるように形成したものである。すなわち、本体１０と客席テーブル６０とをくっつけることにより、電源コネクタ及び接続コネクタも接触し、通電状態となるようにしたものである。
具体的には、電源コネクタ（客席コネクタ４２）と接続コネクタ（本体コネクタ４１）を、客席テーブル６０と本体１０が接合可能な部分にそれぞれ設ける。
【００１６】
（作用）
本体１０の本体コネクタ４１が客席テーブル６０の客席コネクタ４２と当接するように、本体１０を客席テーブル６０に移動停止させることにより、コンセントを差し込む等の手間をかけずに、電気機器を通電状態にすることができる。
（請求項３）
請求項３記載の発明は、上記した請求項１又は２記載の発明の特徴点に加え、次の点を特徴とする。
【００１７】
すなわち、請求項３記載の発明は、前記電気機器として、照明装置２０を少くとも搭載していることを特徴とする。
照明装置２０には、提供する食材等を照明したりするものの他、装飾として使用されるランプ等も含む。
（作用）
本発明によれば、客席テーブル６０と本体１０が接合しているとき、すなわち客に対してサービスを提供しているときには照明がなされ、本体１０が客席テーブル６０を離れるときには必然的に照明も消えることになる。
【００１８】
（請求項４）
請求項４記載の発明は、上記した請求項１乃至３のいずれか１項に記載の発明の特徴点に加え、次の点を特徴とする。
すなわち、請求項４記載の発明は、前記本体１０は、冷蔵ケース３０を少くとも搭載していることを特徴とする。
【００１９】
ここで、「冷蔵ケース３０」は、食品などを一定の低温に保つことができるものであれば良く、氷や保冷材を用いたものでもよいし、冷蔵庫のように冷蔵装置を用いたものでも良い。この場合の電源も、前記電源コネクタ（客席コネクタ４２）から取るようにしてもよい。
（作用）
本発明は、冷蔵保存の必要な食材を用いて料理を提供するもの、例えば寿司の提供などに適している。
【００２０】
【発明の実施の形態】
本発明を表す好適な実施の形態を、寿司ワゴンを例として図面に基づき説明する。
（図面の説明）
図１乃至図６は、本発明の実施の形態を示すものである。
【００２１】
図１は寿司ワゴンの側面図、図２は寿司ワゴンの正面図、図３は寿司ワゴンの平面図、図４乃至図６は客席テーブルと寿司ワゴンの接続部を示す断面図を、それぞれ示すものである。
（寿司ワゴン）
寿司ワゴンは、図１に示すように、筺型の本体１０を有し、この本体１０の側面に設けられた引き手パイプ１４と、本体１０の下面に設けられたキャスター１５により移動可能に形成された移動式飲食物提供装置である。
【００２２】
前記本体１０の上面は、客に提供する寿司を並べるための配膳カウンター１１と、職人が寿司を握るための調理カウンター１２とを有し、配膳カウンター１１と調理カウンター１２の間には、冷蔵ケース３０が設置されている。
前記配膳カウンター１１は、客席テーブル６０の高さよりも若干高く形成されていて、配膳カウンター１１と客席テーブル６０とを付き合わせたときに、客席テーブル６０が配膳カウンター１１の下に潜り込むような高さとなっている。これは、配膳カウンター１１が客席テーブル６０よりも高い方が、客が並べられた寿司を取りやすいからである。
【００２３】
なお、配膳カウンター１１の下方には、客席テーブル６０と接合させるための接続部４０が形成されているが、この詳細については後述する。
前記冷蔵ケース３０は、ガラス３１によって覆われた、調理カウンター１２側に開口部を有するケースであり、内部には、配膳カウンター１１に向かって傾斜する陳列台３２が設けられている。この陳列台３２は、寿司ネタを並べておくためのものであり、客がネタを見やすいようになっているとともに、下に氷が敷き詰められるようになっていて、陳列したネタの鮮度を保つように形成されている。
【００２４】
なお、この冷蔵ケース３０の開口部に扉を設けて、中の冷気が逃げないようにするとよい。また、冷蔵ケース３０内を冷蔵装置により冷却するように形成してもよい。氷の代わりに保冷材を用いてもよい。
本体１０の上方には、調理カウンター１２の端部から立ち上がる脚部を有するフレーム１６が形成されており、フレーム１６の上部は屋根の形をあしらい、のれんを設けた装飾部１７となっている。また、フレーム１６には、照明装置２０が取り付けられている。照明装置２０としては、冷蔵ケース３０のネタを照明するための鮮魚用スポット２１と、装飾の一部としての機能も果たすちょうちん２２が設けられている。
【００２５】
さらに、本体１０の内部には、図２又は図３に示すように、スライドテーブル１３が収納されており、このスライドテーブル１３は、お櫃型の寿司製造機５０を載置可能に形成されている。すなわち、寿司製造機５０をスライドテーブル１３に乗せたまま本体１０内部に収納できると共に、スライドテーブル１３を引き出せば寿司製造機５０が本体１０の外部に露出する。
【００２６】
ここで、寿司製造機５０は、内部に酢飯を投入し、スイッチを入れると握り寿司のシャリの部分を自動的に製造する機械である。従業員は、この寿司製造機５０が製造したシャリに、注文に応じてネタを乗せて握って提供する。なお、寿司製造機５０の代わりに普通のお櫃を置き、寿司職人が寿司を握るようにしても良い。
さて、上述した照明装置２０や、寿司製造機５０は、本体１０の正面側に設けられた接続部４０へと配線コード７０で接続されている。次に、この接続部４０について詳述する。
【００２７】
（接続部４０）
接続部４０は、寿司ワゴンの本体１０に設けられた本体コネクタ４１と、客席テーブル６０の端部に設けられた客席コネクタ４２が電気的に接続可能に形成された、本体１０及び客席テーブル６０の接合部分である。
具体的には、図４に示すように、本体１０の配膳カウンター１１の下方に、正面側に向かって開口する凹部４３を形成し、その立面４３ａに本体コネクタ４１を突出させる。ここで、前記凹部４３は、客席テーブル６０の端部が嵌り込むように形成されている。すなわち、凹部４３の底辺４３ｂまでの高さより、客席テーブル６０の裏面の高さの方が高くなり、かつ、客席テーブル６０の表面の高さの方が、凹部４３の上辺４３ｃまでの高さより低くなるように形成されている。また、本体コネクタ４１は、照明装置２０等の電気機器と配線コード７０により接続されている。
【００２８】
一方客席テーブル６０の小口面には、客席コネクタ４２が設けられている。客席コネクタ４２は、前記本体コネクタ４１を差込可能な凹部４４の立面に露出しており、電源コード８０を介して電源へと接続されている。そして、客席テーブル６０の端部が本体１０の凹部４３に嵌り込んだ状態で、本体コネクタ４１の端面が客席コネクタ４２の端面に接触し、電源と寿司ワゴンに搭載された電気機器とが電気的に接続されるものである。
【００２９】
なお、本体コネクタ４１及び客席コネクタ４２を接続させる際、客席テーブル６０の高さや本体１０の高さに誤差がある場合を考慮して、凹部４４の開口は本体コネクタ４１よりも若干遊びを有して形成しておくのが望ましい。また、特に図示しないが、本体１０の凹部４３にガイドピンを設け、客席テーブル６０の小口面に形成した孔に挿入して位置決めを行うことができるように形成してもよい。
【００３０】
ところで、上記のように客席コネクタ４２を客席テーブル６０の小口面に設けると、テーブルに水をこぼしたりしてコネクタ端子に水分がかかる場合もあり、危険である。そこで、図５に示すように、客席テーブル６０の裏面に凹部４４を形成し、客席コネクタ４２を下に向けて設けてもよい。この場合、本体コネクタ４１は凹部４３の底辺４３ｂに上方に向けて突出させる。さらに、この本体コネクタ４１を僅かに上下動可能に形成し、客席コネクタ４２と本体コネクタ４１の端面に磁石を取り付けると、多少の高さのズレを吸収可能である。
【００３１】
なお、本実施の形態においては、客席テーブル６０を配膳カウンター１１の下に潜らせるように形成したが、図６に示すように、客席テーブル６０と配膳カウンター１１とが面一になるようにしてもよい。
（寿司の提供）
以上の構成を有する寿司ワゴンを用いた寿司の提供について述べる。
【００３２】
まず、客のいる客席テーブル６０まで、寿司ワゴンを運んでいく。このとき、引き手パイプ１４を掴むと運びやすい。本体１０の下面にはキャスター１５が設けられているので、自由に移動できる。
次に、配膳カウンター１１と、客席コネクタ４２を設けてある客席テーブル６０の一辺とを当接させる。すると、配膳カウンター１１下部の凹部４３に客席テーブル６０が嵌り込み、本体コネクタ４１と客席コネクタ４２とが電気的に接続する。このとき、本体１０に搭載されている電気機器に通電し、照明装置２０に灯りが点ったり、寿司製造機５０が作動可能となったりする。鮮魚用スポット２１が点灯することにより、客は冷蔵ケース３０のネタを見やすくなり、ちょうちん２２が点灯することにより、寿司屋の雰囲気を味わうことができる。
【００３３】
そして、客の注文に応じて、調理カウンター１２で従業員が寿司を作り客に提供する。すなわち、寿司製造機５０の作ったシャリに冷蔵ケース３０に収納されているネタを乗せて握ったり、海苔巻きを作ったりする。作った寿司は、配膳カウンター１１に置き、客はそれを取って食する。
客が食べ終わったら、別のテーブルに移動することができる。移動する時には、スライドテーブル１３を本体１０内に収納する。そして、客席テーブル６０から離れると、本体コネクタ４１と客席コネクタ４２との接続が切れ、照明装置２０等が消灯する。
【００３４】
このように、本発明に係る移動式飲食物提供装置を寿司ワゴンとして寿司を提供すれば、客の目の前で、客の注文に応じて作りたての寿司を客に提供する事ができ、回転寿司のように材料を無駄にすることもなく、接客時以外には無駄な電力消費を押さえることができるので、経費節減にも役立つ。さらに、回転寿司とも、普通の寿司屋とも違う雰囲気で寿司を提供することができ、客の興味を引くことができる。
【００３５】
（応用）
本願発明は、寿司ワゴンの他にも、客の目の前で簡単に調理して提供することのできる料理を提供するための移動式飲食物提供装置として利用できる。例えば、冷蔵ケースの代わりに保温ケースを設ければ、温かい料理を提供することができる。
【００３６】
【発明の効果】
本発明は、以上のように構成されているので、以下に記載されるような効果を奏する。
（請求項１）
請求項１記載の発明によれば、次のような効果を奏する。
【００３７】
すなわち、請求項１記載の発明によれば、サービスを提供しようとする客席テーブルの近くで調理や盛りつけをすることにより、作りたての料理を客の注文に応じて提供して食材の無駄を省き、客席テーブルにから離れた時には不要な電力を消費せず、経費削減にも役立つ移動式飲食物提供装置を提供することができる。
【００３８】
（請求項２）
請求項２記載の発明によれば、上記した請求項１記載の発明の効果に加え、次のような効果を奏する。
すなわち、請求項２記載の発明によれば、電気機器に通電させる手間がかからない移動式飲食物提供装置を提供することができる。
【００３９】
（請求項３）
請求項３記載の発明によれば、上記した請求項１又は請求項２記載の発明の効果に加え、次のような効果を奏する。
すなわち、請求項３記載の発明によれば、通電により客の興味を引き、また客が飲食物を注文する補助をすることができる移動式飲食物提供装置を提供することができる。
【００４０】
（請求項４）
請求項４記載の発明によれば、上記した請求項１乃至３のいずれか１項に記載の発明の効果に加え、次のような効果を奏する。
すなわち、請求項４記載の発明によれば、冷蔵保温が必要な食品について適した移動式飲食物提供装置を提供することができる。
【図面の簡単な説明】
【図１】本発明の実施の形態であって、移動式飲食物提供装置としての寿司ワゴンの側面図である。
【図２】本発明の実施の形態であって、寿司ワゴンの正面図である。
【図３】本発明の実施の形態であって、寿司ワゴンの平面図である。
【図４】本発明の実施の形態であって、客席テーブルと寿司ワゴンの接続部を示す断面図である。
【図５】本発明の実施の形態であって、客席テーブルと寿司ワゴンの接続部の他の例を示す断面図である。
【図６】本発明の他の実施の形態であって、客席テーブルと寿司ワゴンの接続部の例を示す断面図である。
【符号の説明】
１０　本体　　　　　　　　　　　　　　１１　配膳カウンター
１２　調理カウンター　　　　　　　　　１３　スライドテーブル
１４　引き手パイプ　　　　　　　　　　１５　キャスター
１６　フレーム　　　　　　　　　　　　１７　装飾部
２０　照明装置　　　　　　　　　　　　２１　鮮魚用スポット
２２　ちょうちん
３０　冷蔵ケース　　　　　　　　　　　３１　ガラス
３２　陳列台
４０　接続部　　　　　　　　　　　　　４１　本体コネクタ
４２　客席コネクタ　　　　　　　　　　４３　凹部
４４　凹部
５０　寿司製造機　　　　　　　　　　　６０　客席テーブル
７０　配線コード　　　　　　　　　　　８０　電源コード
【図１】
2004008361.tif 000003
【図２】
2004008361.tif 000004
【図３】
2004008361.tif 000005
【図４】
2004008361.tif 000006
【図５】
2004008361.tif 000007
【図６】
2004008361.tif 000008